(57)【特許請求の範囲】
【請求項１】
上方を開放した合成樹脂製の内箱と、該内箱の側部と底部とをカバーする紙製の外箱とを組み合わせてなる複合材料弁当箱において、
外箱は１枚の用紙で底板と該底板の周辺から上方へ折り曲げてなる側板とから形成されると共に、該側板の上端に所定間隔を空けて上部の幅が狭まった複数の凹溝が形成される一方、
内箱の側部の上端から短幅の天井部を介して外側下方に折り曲げた折返片が形成され、
外箱の内部に内箱を収納すると共に外箱の側板の上端を内箱の折返片の内部に差し込んだ状態で、外箱の凹溝に対応する位置に合せて内箱の天板部から凹んだ嵌合凹部が形成され、外箱の凹溝に内箱の嵌合凹部を嵌め込むことによって、外箱の内部に内箱が固定されるようにしたことを特徴とする複合材料弁当箱。
【請求項２】
上方を開放した合成樹脂製の内箱と、該内箱の側部と底部とをカバーする紙製の外箱とを組み合わせてなる複合材料弁当箱において、
外箱は１枚の用紙で底板と該底板の周辺から上方へ折り曲げてなる側板とから形成されると共に、該側板の上端に外側下方へ折り曲げられた短幅の折曲片が形成される一方、
内箱の側部の上端から短幅の天井部を介して外側下方に折り曲げた折返片が形成され、該折返片の上端から隙間を空けた位置に内箱の周方向に所定間隔で折返片の内側方向に突出した複数の突起が形成され、
外箱の内部に内箱を収納すると共に外箱の側板の上端が内箱の折返片の内部に差し込まれた状態で、該外箱の側板の折曲片が内箱の折返片の各突起に係止されることによって、外箱の内部に内箱が固定されるようにしたことを特徴とする複合材料弁当箱。
【請求項３】
上方を開放した合成樹脂製の内箱と、該内箱の側部と底部とをカバーする紙製の外箱とを組み合わせてなる複合材料弁当箱において、
外箱は１枚の用紙で底板と該底板の周辺から上方へ折り曲げてなる側板とから形成されると共に、該側板の上端付近の外周に沿って折り曲げ自在に形成された外側係止片と該外側係止片から短幅の天部を介して側板の内側下方へ折り曲げた内側係止片が形成され、これらの外側係止片と内側折返片との夫々に内箱の周方向に所定間隔を空けて複数の切欠溝が形成される一方、
内箱の側部の上端から短幅の天井部を介して外側下方に折り曲げた折返片が形成されると共に、該内箱の側部と折返片とに夫々の上端から隙間を空けた位置に内箱の周方向へ所定間隔で複数の突起が形成され、
外箱の内部に内箱を収納すると共に外箱の側板の上端が内箱の折返片の内部に差し込まれた状態で、外箱の外側係止片と内側係止片の各切欠溝が内箱の側部と折返片の各突起に嵌め込まれることによって、外箱の内部に内箱が固定されるようにしたことを特徴とする複合材料弁当箱。
【請求項４】
外箱は、底板と該底板の四辺を折曲線として上方へ折り曲げられている４つの側板とを有し、各側板同士は切り離されていることを特徴とする請求項１から３のいずれかに記載の複合材料弁当箱。
【発明の詳細な説明】
【技術分野】
【０００１】
本発明は、紙材料と合成樹脂材料とを組み合わせることによって弁当箱を構成するようにした複合材料弁当箱に関する。
【背景技術】
【０００２】
従来から、持ち帰り弁当やコンビニエンス弁当等の弁当箱は、プラスチック製のトレーと蓋を組み合わせたものが多く、不燃性ゴミが大量に出るという不都合があった。
【０００３】
また、他の簡便な構造の弁当箱として、気密性を有する合成樹脂製の内箱と、印刷等を容易に行うことができる紙製の外箱とを組み合わせた複合材料による弁当箱が開発されている。
【０００４】
そこで、この種の複合材料による弁当箱について従来例を参照すると、特許文献１には紙製の外箱と樹脂製の内箱とをヒートシールにより一体的に接着した弁当箱が記載されている。
【０００５】
また、特許文献２には、紙製等のように印刷を施すことができる材料からなる外容器とプラスチック等の樹脂からなる内容器とを組み合わせ、内容器と外容器の夫々の上部に形成したフランジ部同士を接着剤またはヒートシールによる熱溶着により接着する構造の複合容器が記載されている。
【０００６】
ところが、上記のいずれの構造においても、紙製の外箱と合成樹脂製の内箱とを接着剤やヒートシールによる熱溶着で接着するものであり、廃棄の際に、燃焼性の紙製からなる外箱と不燃性の合成樹脂製からなる内箱とを分別するのに面倒な手間を必要とするものであった。
【０００７】
また、特許文献２の複合容器においては、紙製の外箱に糊代部が形成されているため、この糊代部に使用する接着剤が必要となり、またそのための接着工程を必要とするものであった。
【先行技術文献】
【特許文献】
【０００８】
【特許文献１】実開平２−７６９１３号公報
【特許文献２】特許第３１７７２９７号公報
【発明の概要】
【発明が解決しようとする課題】
【０００９】
本発明は、上記の事情に鑑みてなされたものであり、合成樹脂製の内箱と紙製の外箱とを組み合わせた構造の弁当箱であって、紙製の外箱に糊代を必要とすることなく、さらには外箱と内箱とを接着剤等で接着することなく組み立てることができ、廃棄の際にも容易に分別することができる複合材料弁当箱を提供することを目的とする。
【課題を解決するための手段】
【００１０】
上記の問題を解決するために、本発明の請求項１の複合材料弁当箱は、上方を開放した合成樹脂製の内箱と、該内箱の側部と底部とをカバーする紙製の外箱とを組み合わせてなる複合材料弁当箱において、外箱は１枚の用紙で底板と該底板の周辺から上方へ折り曲げてなる側板とから形成されると共に、該側板の上端に所定間隔を空けて上部の幅が狭まった複数の凹溝が形成される一方、内箱の側部の上端から短幅の天井部を介して外側下方に折り曲げた折返片が形成され、外箱の内部に内箱を収納すると共に外箱の側板の上端を内箱の折返片の内部に差し込んだ状態で、外箱の凹溝に対応する位置に合せて内箱の天板部から凹んだ嵌合凹部が形成され、外箱の凹溝に内箱の嵌合凹部を嵌め込むことによって、外箱の内部に内箱が固定されるようにしたことを特徴とする。
【００１１】
また、本発明の請求項２の複合材料弁当箱は、上方を開放した合成樹脂製の内箱と、該内箱の側部と底部とをカバーする紙製の外箱とを組み合わせてなる複合材料弁当箱において、外箱は１枚の用紙で底板と該底板の周辺から上方へ折り曲げてなる側板とから形成されると共に、該側板の上端に外側下方へ折り曲げられた短幅の折曲片が形成される一方、内箱の側部の上端から短幅の天井部を介して外側下方に折り曲げた折返片が形成され、該折返片の上端から隙間を空けた位置に内箱の周方向に所定間隔で折返片の内側方向に突出した複数の突起が形成され、外箱の内部に内箱を収納すると共に外箱の側板の上端が内箱の折返片の内部に差し込まれた状態で、該外箱の側板の折曲片が内箱の折返片の各突起に係止されることによって、外箱の内部に内箱が固定されるようにしたことを特徴とする。
【００１２】
また、本発明の請求項３の複合材料弁当箱は、上方を開放した合成樹脂製の内箱と、該内箱の側部と底部とをカバーする紙製の外箱とを組み合わせてなる複合材料弁当箱において、外箱は１枚の用紙で底板と該底板の周辺から上方へ折り曲げてなる側板とから形成されると共に、該側板の上端付近の外周に沿って折り曲げ自在に形成された外側係止片と該外側係止片から短幅の天部を介して側板の内側下方へ折り曲げた内側係止片が形成され、これらの外側係止片と内側折返片との夫々に内箱の周方向に所定間隔を空けて複数の切欠溝が形成される一方、内箱の側部の上端から短幅の天井部を介して外側下方に折り曲げた折返片が形成されると共に、該内箱の側部と折返片とに夫々の上端から隙間を空けた位置に内箱の周方向へ所定間隔で複数の突起が形成され、外箱の内部に内箱を収納すると共に外箱の側部の上端が内箱の折返片の内部に差し込まれた状態で、外箱の外側係止片と内側係止片の各切欠溝が内箱の側部と折返片の各突起に嵌め込まれることによって、外箱の内部に内箱が固定されるようにしたことを特徴とする。
【００１３】
さらに、本発明の請求項４の複合材料弁当箱は、前記外箱が、底板と該底板の四辺を折曲線として上方へ折り曲げられている４つの側板とを有し、各側板同士は切り離されていることを特徴とする。
【発明の効果】
【００１４】
本発明は、上記のように構成されているため、請求項１〜４のいずれの発明においても、外箱の内部に内箱を収納すると共に外箱の側板の上端を内箱の折返片の内部に差し込んだ状態にすることにより、外箱の各側板が内箱の折返片の内部に嵌合され、又は係止され、外箱の内部に内箱が固定された状態となる。
【００１５】
このような状態において、合成樹脂製の内箱は単独では形状を維持し難く、内箱内に収容した各種食材等の内容物を安定した状態で保持することは困難であるが、内箱の折返片の内部に差し込まれた紙製による外箱の底板と側板とによって補強され、その形状が保持される。
【００１６】
また、外箱の側板は底板の各辺から単に折り曲げられただけの構成であるが、外箱の各側板が内箱の折返片に差し込まれた構成によって外箱の各側板が上方へ立ち上がった形状を保持することが可能となる。
【００１７】
さらに、外箱と内箱とを分離する場合、外箱の各側板を内箱の折返片から引き離すことによって、外箱と内箱とは容易に分離し、ゴミの分別処理を容易に行うことが可能となる。
【図面の簡単な説明】
【００１８】
【図１】本発明の実施例１に係る複合材料弁当箱の全体斜視図である。
【図２】本発明の実施例１に係る複合材料弁当箱の外箱を示す図であり、（ａ）は展開図、（ｂ）は側板の折曲げ状態を示す側面図である。
【図３】本発明の実施例１に係る複合材料弁当箱の内箱を示す図であり、（ａ）は上面図、（ｂ）は長辺側の側面図、（ｃ）は短辺側の側面図である。
【図４】本発明の実施例１に係る複合材料弁当箱の長辺側の側面図であり、（ａ）は外箱と内箱とを組み立てる前の状態を示すものであり、（ｂ）は外箱と内箱とを組み立てた後の状態を示すものである。
【図５】本発明の実施例２に係る複合材料弁当箱の全体斜視図である。
【図６】本発明の実施例２に係る複合材料弁当箱の外箱を示す図であり、（ａ）は展開図、（ｂ）は側板の折曲げ状態を示す側面図である。
【図７】本発明の実施例２に係る複合材料弁当箱の内箱を示す図であり、（ａ）は上面図、（ｂ）は長辺側の側面図、（ｃ）は短辺側の側面図である。
【図８】本発明の実施例２に係る複合材料弁当箱の長辺側の側面図であり、（ａ）は外箱と内箱とを組み立てる前の状態を示すものであり、（ｂ）は外箱と内箱とを組み立てた後の状態を示すものである。
【図９】参考例１に係る複合材料弁当箱の全体斜視図である。
【図１０】参考例１に係る複合材料弁当箱の外箱を示す図であり、（ａ）は展開図、（ｂ）は外箱を使用する際の折曲げ状態を示す側面図である。
【図１１】参考例１に係る複合材料弁当箱の内箱を示す図であり、（ａ）は上面図、（ｂ）は長辺側の側面図、（ｃ）は短辺側の側面図である。
【図１２】参考例１に係る複合材料弁当箱の長辺側の側面図であり、（ａ）は外箱と内箱とを組み立てる前の状態を示すものであり、（ｂ）は外箱と内箱とを組み立てた後の状態を示すものである。
【図１３】本発明の実施例３に係る複合材料弁当箱の全体斜視図である。
【図１４】本発明の実施例３に係る複合材料弁当箱の外箱を示す図であり、（ａ）は展開図、（ｂ）は外箱を使用する際の折曲げ状態を示す側面図である。
【図１５】本発明の実施例３に係る複合材料弁当箱の内箱を示す図であり、（ａ）は上面図、（ｂ）は長辺側の側面図、（ｃ）は短辺側の側面図である。
【図１６】本発明の実施例３に係る複合材料弁当箱の長辺側の側面図であり、（ａ）は外箱と内箱とを組み立てる前の状態を示すものであり、（ｂ）は外箱と内箱とを組み立てた後の状態を示すものである。
【発明を実施するための形態】
【００１９】
以下、本発明の実施例について図面を参照しながら説明する。なお、本実施例においては、内箱は透視可能な合成樹脂から形成してあり、内箱を表した図面では透視状態に示している。
【実施例１】
【００２０】
本発明の実施例に係る複合材料弁当箱１Ａは、図１に示すように、上方を開放したポリプロピレン又はポリエチレン等による合成樹脂製の内箱２Ａと、該内箱２Ａの側部と底部とをカバーする紙製の外箱３Ａとを組み合わせてなる複合材料による弁当箱１Ａを構成したものである。
【００２１】
このような本実施例の弁当箱１Ａは、平面視で長方形をなす箱形状に形成され、外箱３Ａの展開形状は、図２(ａ)に示すように、１枚の用紙で長方形状の底板４Ａと該底板４Ａの四辺を折曲線５Ａとして上方へ折り曲げてなる側板６Ａとから形成されている。
【００２２】
また、各側板６Ａは、折曲線５Ａから両幅をやや広げながら拡大してなる台形に形成されている。従って、図２（ｂ）に示すように、外箱３Ａの各側板６Ａを上方へ折り曲げたとき、図１に示すように、内箱２Ａの斜め上方を向く側面に沿って、外箱３Ａの各側面もまた斜め上方を向くように形成される。
【００２３】
さらに、図２（ａ）に示すように、外箱３Ａの各側板６Ａの上端には、間隔を空けて２箇所に上部の幅が狭まった形状の凹溝７が形成されている。
【００２４】
一方、内箱２Ａは、図３（ａ）〜(ｃ)に示すように、該内箱２Ａの長方形の底部８Ａの四辺から斜め上方に立ち上げた側部９Ａの上端から短幅の天井部１０Ａを介して外側下方に折り曲げた折返片１１Ａが形成され、これらの天井部１０Ａと折返片１１Ａとが内箱２Ａの上部外周を囲繞するように形成されている。
【００２５】
なお、図１に示すように、内箱２Ａの内部には各種食材等の内容物を収容するために複数の仕切部１２Ａが形成されているが、図示の仕切部１２Ａは一例であって、この形状に限定されるものではない。
【００２６】
また、この内箱２Ａの各側板６Ａの上端、即ち天井部１０Ａには、上記の外箱３Ａの各側板６Ａに設けられた凹溝７に対応する位置に、該外箱３Ａの凹溝７よりもやや縮小した大きさで、上部の幅が狭まった凹溝形状の複数の嵌合凹部１３が形成されている。なお、夫々の嵌合凹部１３の側方の圧縮形成部１３ａは、合成樹脂製からなる内箱２Ａに嵌合凹部１３を熱処理等により形成する際に生じるものである。
【００２７】
上記の構成により、図４（ａ）、（ｂ）に示すように、外箱３Ａの内部に内箱２Ａを収納すると共に、外箱３Ａの側板６Ａの上端を内箱２Ａの折返片１１Ａの内部に差し込んだ状態にする。そして、この状態で、図４(ｂ)に示すように、外箱３Ａの各側板６Ａの各凹溝７を内箱２Ａの各側部９Ａの各嵌合凹部１３に嵌め込むことにより、図１に示すように、外箱３Ａの内部に内箱２Ａが固定された状態となる。
【００２８】
このような状態において、合成樹脂製の内箱２Ａは、単独では形状を維持し難く、内箱２Ａ内に収容した各種食材等の内容物を安定した状態で保持することは困難であるが、内箱２Ａの側部９Ａ及び底部８Ａを紙製の外箱３Ａの側板６Ａと底板４Ａとで補強することによって、内箱２Ａの所定形状を保持することが可能となる。
【００２９】
また、外箱３Ａの側板６Ａは底板４Ａの各辺から単に折り曲げられただけの構成であるが、外箱３Ａの各側板６Ａが内箱２Ａの折返片１１Ｂに差し込まれた構成によって外箱３Ａの各側板６Ａが上方へ立ち上がった形状を保持することが可能となる。
【００３０】
なお、外箱３Ａと内箱２Ａとを分離する場合、外箱３Ａの各側板６Ａの各凹溝７から内箱２Ａの各側板６Ａの各嵌合凹部１３を引き離すことによって、外箱３Ａと内箱２Ａとは容易に分離し、ゴミの分別処理を容易に行うことが可能となる。
【実施例２】
【００３１】
本発明の実施例に係る複合材料弁当箱１Ｂは、図５に示すように、上方を開放したポリプロピレン又はポリエチレン等による合成樹脂製の内箱２Ｂと、該内箱２Ｂの側部と底部とをカバーする紙製の外箱３Ｂとを組み合わせてなる複合材料による弁当箱１Ｂを構成したものである。
【００３２】
このような本実施例の弁当箱１Ｂは、平面視で長方形をなす箱形状に形成され、外箱３Ｂの展開形状は、図６（ａ）に示すように、１枚の用紙で長方形状の底板４Ｂと該底板４Ｂの四辺を折曲線５Ｂとして上方へ折り曲げてなる側板６Ｂとから形成されている。
【００３３】
また、各側板６Ｂは、折曲線５Ｂから両幅をやや広げながら拡大してなる台形に形成されている。従って、図６（ｂ）に示すように、外箱３Ｂの各側板６Ｂを上方へ折り曲げたとき、図５に示すように、内箱２Ｂの斜め上方を向く側面に沿って、外箱３Ｂの各側面もまた斜め上方を向くように形成される。
【００３４】
さらに、図６（ａ）に示すように、外箱３Ｂの各側板６Ｂの上端には、折曲線１４ａを介して外側下方へ折り曲げられる短幅の折曲片１４が形成されている。
【００３５】
一方、内箱２Ｂは、図７（ａ）〜(ｃ)に示すように、該内箱２Ｂの側部９Ｂの上端から短幅の天井部１０Ｂを介して外側下方に折り曲げた折返片１１Ｂが形成され、これらの天井部１０Ｂと折返片１１Ｂが内箱２Ｂの上部外周を囲繞するように形成されている。なお、図５に示すように、内箱２Ｂの内部には各種食材等の内容物を収容するために複数の仕切部１２Ｂが形成されているが、図示の仕切部１２Ｂは一例であって、この形状に限定されるものではない。
【００３６】
また、この内箱２Ｂの各折返片１１Ｂの上端から隙間を空けた位置に該折返片１１Ｂの内側面に沿って、該折返片１１Ｂの周部に所定間隔で複数の突起１５が形成されている。本実施例において、各突起１５は、内箱２Ｂの夫々の折返片１１Ｂに所定間隔をあけて３箇所ずつ円弧と直線で囲まれた突出形状に形成されている。
【００３７】
上記の構成により、図８（ａ）に示すように、外箱３Ｂの内部に内箱２Ｂを収納すると共に、外箱３Ｂの側板６Ｂの上端を内箱２Ｂの折返片１１Ｂの内部に差し込んだ状態にする。そして、この状態で、図８（ｂ）に示すように、外箱３Ｂの各側板６Ｂの上端で外側下方に折り曲げた折曲片１４の端部を内箱２Ｂの各折返片１１Ｂの各突起１５に係止することにより、図５に示すように、外箱３Ｂの内部に内箱２Ｂが固定された状態となる。
【００３８】
このような状態において、合成樹脂製の内箱２Ｂは、単独では形状を維持し難く、内箱２Ｂ内に収容した各種食材等の内容物を安定した状態で保持することは困難であるが、内箱２Ｂの折返片１１Ｂに差し込まれた紙製による外箱３Ｂの底板４Ｂと側板６Ｂとによって保持される。また、外箱３Ｂの側板６Ｂは底板４Ｂの各辺から単に折り曲げられただけの構成であるが、外箱３Ｂの各側板６Ｂが内箱２Ｂの折返片１１Ｂに差し込まれた構成によって外箱３Ｂの各側板６Ｂが上方へ立ち上がった形状を保持することが可能となる。
【００３９】
なお、外箱３Ｂと内箱２Ｂとを分離する場合、外箱３Ｂの各側板６Ｂの各折曲片１４から内箱２Ｂの各折返片１１Ｂの各突起１５を引き離すことによって、外箱３Ｂと内箱２Ｂとは容易に分離し、ゴミの分別処理を容易に行うことが可能となる。
【００４０】
[参考例１]
参考例１に係る複合材料弁当箱２Ｃは、図９に示すように、上方を開放したポリプロピレン又はポリエチレン等による合成樹脂製の内箱２Ｃと、該内箱２Ｃの側部と底部とをカバーする紙製の外箱３Ｃとを組み合わせてなる複合材料による弁当箱１Ｃを構成したものである。
【００４１】
このような本参考例の弁当箱１Ｃは、平面視で長方形をなす箱形状に形成され、外箱３Ｃの展開形状は、図１０（ａ）に示すように、１枚の用紙で長方形状の底板４Ｃと該底板４Ｃの四辺を折曲線５Ｃとして上方へ折り曲げてなる側板６Ｃとから形成されている。
【００４２】
また、各側板６Ｃは、折曲線５Ｃから両幅をやや広げながら拡大してなる台形に形成されている。従って、図１０（ａ）に示すように、外箱３Ｃの各側板６Ｃを上方へ折り曲げたとき、図９に示すように、内箱２Ｃの斜め上方を向く側面に沿って、外箱３Ｃの各側面もまた斜め上方を向くように形成される。
【００４３】
さらに、図１０（ａ）、（ｂ）に示すように、外箱３Ｂの各側板６Ｃの上端には、折曲線１６ａを介して内側下方へ折り曲げられる短幅の折曲片１６が形成されている。
【００４４】
一方、内箱２Ｃは、図１１（ａ）〜(ｃ)に示すように、該内箱２Ｃの側部９Ｃの上端から短幅の天井部１０Ｃを介して外側下方に折り曲げた折返片１１Ｃが形成され、これらの天井部１０Ｃと折返片１１Ｃが内箱２Ｃの上部外周を囲繞するように形成されている。なお、図９に示すように、内箱２Ｃの内部には各種食材等の内容物を収容するために複数の仕切部１２Ｃが形成されているが、図示の仕切部１２Ｃは一例であって、この形状に限定されるものではない。
【００４５】
また、図１１(ａ)〜（ｃ）に示すように、この内箱２Ｃの各側部９Ｃの上端から隙間を空けた位置に内箱２Ｃの周方向に所定間隔で側部９Ｃの外側方向に突出する複数の突起１７が形成されている。本参考例において、各突起１７は、内箱２Ｃの夫々の側部９Ｃに所定間隔をあけて３箇所ずつ円弧と直線で囲まれた突出形状に形成されている。
【００４６】
上記の構成により、図１２（ａ）、（ｂ）に示すように、外箱３Ｃの内部に内箱２Ｃを収納すると共に、外箱３Ｃの側板６Ｃの上端を内箱２Ｃの折返片１１Ｃの内部に差し込んだ状態にする。そして、この状態で、図１２（ｂ）に示すように、外箱３Ｃの各側板６Ｃの上端で内側下方に折り曲げた折曲片１６の端部を内箱２Ｃの各側板６Ｃの各突起１７に係止することにより、図９に示すように、外箱３Ｃの内部に内箱２Ｃが固定された状態となる。
【００４７】
このような状態において、合成樹脂製の内箱２Ｃは、単独では形状を維持し難く、内箱２Ｃ内に収容した内容物を安定した状態で保持することは困難であるが、内箱２Ｃの折返片１１Ｃに差し込まれた紙製による外箱３Ｃの底板４Ｃと側板６Ｃとによって保持される。また、外箱３Ｃの側板６Ｃは底板４Ｃの各辺から単に折り曲げられただけの構成であるが、外箱３Ｃの各側板６Ｃが内箱２Ｃの折返片１１Ｃに差し込まれた構成によって外箱３Ｃの各側板６Ｃが上方へ立ち上がった形状を保持することが可能となる。
【００４８】
さらに、外箱３Ｃと内箱２Ｃとを分離する場合、外箱３Ｃの各側板６Ｃの各折曲片１６から内箱２Ｃの各側部９Ｃの各突起１７を引き離すことによって、外箱３Ｃと内箱２Ｃとは容易に分離し、ゴミの分別処理を容易に行うことが可能となる。
【実施例３】
【００４９】
本発明の実施例に係る複合材料弁当箱１Ｄは、図１３に示すように、上方を開放したポリプロピレン又はポリエチレン等による合成樹脂製の内箱２Ｄと、該内箱２Ｄの側部と底部とをカバーする紙製の外箱３Ｄとを組み合わせてなる複合材料による弁当箱１Ｄを構成したものである。
【００５０】
このような本実施例の弁当箱１Ｄは、平面視で長方形をなす箱形状に形成され、外箱３Ｄの展開形状は、図１４（ａ）に示すように、１枚の用紙で長方形状の底板４Ｄと該底板４Ｄの四辺を折曲線５Ｄとして上方へ折り曲げてなる側板６Ｄとから形成されている。
【００５１】
また、各側板６Ｄは、折曲線５Ｄから両幅をやや広げながら拡大してなる台形に形成されている。従って、図１４（ａ）に示すように、外箱３Ｄの各側板６Ｄを上方へ折り曲げたとき、図１３に示すように、内箱２Ｄの斜め上方を向く側面に沿って、外箱３Ｄの各側面もまた斜め上方を向くように形成される。
【００５２】
さらに、図１４（ａ）に示すように、外箱３Ｂの各側板６Ｄの上端付近の外周に沿って折曲線１８ａで折り曲げ自在に形成された外側係止片１８と該外側係止片１８から短幅の天部１９を介して内側下方へ折り曲げた内側係止片２０が形成され、これらの外側係止片１８と内側折返片２０との夫々に内箱２Ｄの周方向に所定間隔を空けて複数の切欠溝２１が形成されている。
【００５３】
一方、内箱２Ｄは、図１５（ａ）〜(ｃ)に示すように、該内箱２Ｄの側部９Ｄの上端から短幅の天井部１０Ｄを介して外側下方に折り曲げた折返片１１Ｄが形成され、これらの天井部１０Ｄと折返片１１Ｄが内箱２Ｄの上部外周を囲繞するように形成されている。なお、図１３に示すように、内箱２Ｄの内部には各種食材等の内容物を収容するために複数の仕切部１２Ｄが形成されているが、図示の仕切部１２Ｄは一例であって、この形状に限定されるものではない。
【００５４】
また、この内箱２Ｄの側部９Ｄと折返片１１Ｄとに夫々の上端から隙間を空けた位置に内箱２Ｄの周方向へ所定間隔で複数の突起２２が形成されている。
【００５５】
上記の構成により、図１６（ａ）、（ｂ）に示すように、外箱３Ｄの内部に内箱２Ｄを収納すると共に、外箱３Ｄの側板６Ｄの上端を内箱２Ｄの折返片１１Ｄの内部に差し込んだ状態にする。そして、この状態で、図１６（ｂ）に示すように、外箱３Ｄの外側係止片１８と内側係止片２０の各切欠溝２１が内箱２Ｄの側部９Ｄと折返片１１Ｄの各突起２２に嵌め込まれることによって、図１３に示すように、外箱３Ｄの内部に内箱２Ｄが固定された状態となる。
【００５６】
このような状態において、合成樹脂製の内箱２Ｄは、単独では形状を維持し難く、内箱２Ｄ内に収容した内容物を安定した状態で保持することは困難であるが、内箱２Ｄの折返片１１Ｄに差し込まれた紙製による外箱３Ｄの底板４Ｄと側板６Ｄとによって保持される。また、外箱３Ｄの側板６Ｄは底板４Ｄの各辺から単に折り曲げられただけの構成であるが、外箱３Ｄの各側板６Ｄが内箱２Ｄの折返片１１Ｄに差し込まれた構成によって外箱３Ｄの各側板６Ｄが上方へ立ち上がった形状を保持することが可能となる。
【００５７】
なお、外箱３Ｄと内箱２Ｄとを分離する場合、外箱３Ｄの各側板６Ｄの外側係止片１８と内側係止片２０の各切欠溝２１から内箱２Ｄの側部９Ｄ及び折返片１１Ｄの各突起２２を引き離すことによって、外箱３Ｄと内箱２Ｄとは容易に分離し、ゴミの分別処理を容易に行うことが可能となる。
【産業上の利用可能性】
【００５８】
本発明の複合材料弁当箱は、合成樹脂製の内箱と紙製の外箱とを組み合わせた構造の弁当箱であって、紙製の外箱に糊代を必要とすることなく、さらには外箱と内箱とを接着剤等で接着することなく組み立てることができ、廃棄の際にも容易に分別することができる複合材料弁当箱として利用可能である。
【符号の説明】
【００５９】
１Ａ、１Ｂ、１Ｃ、１Ｄ  弁当箱
２Ａ、２Ｂ、２Ｃ、２Ｄ  内箱
３Ａ、３Ｂ、３Ｃ、３Ｄ  外箱
４Ａ、４Ｂ、４Ｃ、４Ｄ  底板
５Ａ、５Ｂ、５Ｃ、５Ｄ  折曲線
６Ａ、６Ｂ、６Ｃ、６Ｄ  側板
７  凹溝
８Ａ、８Ｂ、８Ｃ、８Ｄ  底部
９Ａ、９Ｂ、９Ｃ、９Ｄ  側部
１０Ａ、１０Ｂ、１０Ｃ、１０Ｄ  天井部
１１Ａ、１１Ｂ、１１Ｃ、１１Ｄ  折返片
１２Ａ、１２Ｂ、１２Ｃ、１２Ｄ  仕切部
１３  嵌合凹部
１３ａ  圧縮形成部
１４  折曲片
１４ａ  折曲線
１５  突起
１６  折曲片
１６ａ  折曲線
１７  突起
１８  外側係止片
１８ａ  折曲線
１９  天部
２０  内側係止片
２１  切欠溝
２２  突起
【図１】
0005827523.tif 000002
【図２】
0005827523.tif 000003
【図３】
0005827523.tif 000004
【図４】
0005827523.tif 000005
【図５】
0005827523.tif 000006
【図６】
0005827523.tif 000007
【図７】
0005827523.tif 000008
【図８】
0005827523.tif 000009
【図９】
0005827523.tif 000010
【図１０】
0005827523.tif 000011
【図１１】
0005827523.tif 000012
【図１２】
0005827523.tif 000013
【図１３】
0005827523.tif 000014
【図１４】
0005827523.tif 000015
【図１５】
0005827523.tif 000016
【図１６】
0005827523.tif 000017